(57)【特許請求の範囲】
【請求項１】
払出ハンドルを有するカプセル用自動販売機を利用して、カプセル用収容領域に商品陳列手段とした陳列器具において、
前記カプセル用収容領域の底面に配置された回転ドラムと、
前記回転ドラムと連動しており、前記回転ドラムを回転操作可能なハンドル部と、
景品又は商品等の陳列物を載置可能であって、かつ前記回転ドラムに取付可能な陳列台と、
を備え、
前記ハンドル部は、カプセル用自動販売機においてカプセルを排出する操作を行うための払出ハンドルであることを特徴とする陳列器具。
【請求項２】
前記陳列台の周囲には、前記陳列物の落下を防止するための壁面部が設けられていることを特徴とする請求項１に記載の陳列器具。
【請求項３】
前記カプセル用収容領域の上面内側に設けられた照明装置と、前記上面内側に取り付けられた陳列物を吊下可能な吊下装置と、を備え、前記吊下装置は、軸部材を備えてなり、前記軸部材に対して回転する動力部を有する回転部材と、前記回転部材に取り付けられた吊下具と、を備えたことを特徴とする請求項１又は２に記載の陳列器具。
【請求項４】
前記回転部材は、前記照明装置の光から動力を得ることができる太陽電池を備えていることを特徴とするとする請求項３に記載の陳列器具。
【請求項５】
前記カプセル用収容領域内の壁面には、反射シートが配置されていることを特徴とする請求項１から４のいずれか１項に記載の陳列器具。
【発明の詳細な説明】
【技術分野】
【０００１】
本発明は、カプセル用自動販売機を利用した陳列器具に関する。
【背景技術】
【０００２】
従来、カプセル用自動販売機の商品や景品等を需要者に認知させる方法としては、カプセル用自動販売機のフロントウィンドウに商品や景品の説明が記載された広告宣伝用の紙やシートを貼り付けて行っていた。
【０００３】
しかし、カプセル用自動販売機の景品や商品は種類が多いため、すべての商品を紙面やシート面に表示することが困難な上、あくまで印刷であり、二次元による表現であるので、立体感に乏しく本来景品や商品が有する質感、大きさ、色合い等が伝わりづらいという問題点があった。
【先行技術文献】
【特許文献】
【０００４】
【特許文献１】特開２００６−２６８２４７号公報
【発明の開示】
【発明が解決しようとする課題】
【０００５】
本発明は、このような課題に鑑みてなされたものであり、カプセル用自動販売機の一部に商品又は景品サンプル等の陳列物が陳列することができるように、カプセル用自動販売機を利用して陳列物を陳列することができる陳列器具を提供することを目的とする。
【課題を解決するための手段】
【０００６】
本発明は、上述の主目的を達成するために、以下の手段を採った。
【０００７】
本発明にかかる陳列器具は、払出ハンドルを有するカプセル用自動販売機を利用してカプセル用収容領域に商品陳列手段とした陳列器具において、
前記カプセル用収容領域内の底面に配置された回転ドラムと、
前記回転ドラムと連動しており、前記回転ドラムを回転操作可能なハンドル部と、
景品又は商品等の陳列物を載置可能であって、かつ前記回転ドラムに取付可能な陳列台と、
を備え、
前記ハンドル部は、カプセル用自動販売機においてカプセルを排出する操作を行うための払出ハンドルであることを特徴とする。
【０００８】
従来から存在するカプセル用自動販売機を利用することで、改めてカプセル自動販売機に適合する陳列装置を作製したりすることなく、カプセル用自動販売機の一部を交換又は改良するだけで、陳列器具とすることができる。この陳列器具は、設置されているカプセル用自動販売機を利用するので、外観上は周囲のカプセル用自動販売機と同一となる。そのため、周囲のカプセル用自動販売機と統一感がある優れた陳列器具となる。また、カプセル用自動販売機は、カプセル用収容領域内の底面に回転ドラムが配置されている。この回転ドラムは、カプセルを排出する操作を行う操作ハンドルと連動されており、払出ハンドルを回すことで回転する。そのため、この回転ドラムに陳列台を取り付けることで払出ハンドルをハンドル部として操作すれば、陳列台を回転させることができる。このように他のカプセル用自動販売機と同様の操作で回転ドラムひいては陳列台を回転させることができる。そのため、子供でも簡単に操作方法を理解して陳列台を回転させることができる。これによって、陳列台の上に載置された陳列物をあらゆる角度から確認することができる。
【０００９】
また、本発明にかかる陳列器具において、前記陳列台の周囲には、前記陳列物の落下を防止するための壁面部が設けられていることを特徴とするものであってもよい。かかる構成を採用することによって、子供が勢い良くハンドル部を回した場合でも陳列台の陳列物が周囲に落下することを防止することができる。これにより、落下した陳列物が他の構成部品を引っ掛けたりして陳列台の回転が妨げられる可能性が低減される。
【００１０】
さらに、本発明にかかる陳列器具において、前記カプセル用収容領域内の上面内側に設けられた照明装置と、前記上面内側に取り付けられた陳列物を吊下可能な吊下装置と、を備え、前記吊下装置は、軸部材を備えてなり、前記軸部材に対して回転する動力部を有する回転部材と、前記回転部材に取り付けられた吊下具と、を備えたことを特徴とするものであってもよい。かかる構成を採用することによって、下方の陳列台に陳列された陳列物だけでなく、上方に吊り下げられた陳列物も回転させることができる。よって、需要者の興味を惹かせることができる。また、回転しているので陳列物をあらゆる角度から確認することができる。
【００１１】
さらに、前記回転部材は、前記照明装置の光から動力を得ることができる太陽電池を備えていることを特徴とするものであってもよい。かかる構成を採用することによって、別途動力を外部から引き込む必要がなく、吊下装置を回転させることができる。また、乾電池等の電力手段を使用していないので、電池交換等の手間を省くことができる。
【００１２】
さらに、前記カプセル用収容領域内の壁面には、反射シートが配置されていることを特徴とするものであってもよい。かかる構成を採用することによって、カプセル用自動販売機をそのまま流用した場合であっても、壁面が視認されることがなく美観性に優れる。また、カプセル用収容領域内を明るくすることができ、商品を見えやすくすることができる。
【図面の簡単な説明】
【００１３】
【図１】図１は、実施形態にかかる陳列器具１００（カプセル用自動販売機１）の構成の概略を示す斜視図である。
【図２】図２は、実施形態にかかる陳列器具１００のフロントウィンドウ部１１を開けた状態を示す斜視図である。
【図３】図３は、実施形態にかかる陳列器具１００（カプセル用自動販売機１）の収容ケースの内部構造を示す模式図である。
【図４】図４は、実施形態にかかる陳列台７０を示す斜視図である。
【図５】図５は、実施形態にかかる吊下装置９０を示す図であり、図５Ａは、正面図であり、図５Ｂは、底面図である。
【図６】図６は、実施形態にかかる陳列器具１００がカプセル用自動販売機１に取り付けられた状態を示す斜視図である。
【図７】図７は、実施形態にかかる陳列器具１００を作製するカプセル用自動販売機の異なる形態を示す斜視図である。
【発明を実施するための形態】
【００１４】
本発明にかかる陳列器具１００の実施形態について、図面を参照しつつ詳細に説明する。なお、以下に説明する実施形態及び図面は、本発明の実施形態の一部を例示するものであり、これらの構成に限定する目的に使用されるものではなく、本発明の要旨を逸脱しない範囲において適宜変更することができる。なお、各図において対応する構成要素には同一又は類似の符号が付されている。
【００１５】
（実施形態）
実施形態にかかる陳列器具１００が主として図１〜図２に示されている。図１は、実施形態にかかる陳列器具１００の斜視図である。図２は、実施形態にかかる陳列器具１００のフロントウィンドウ部１１を切り欠いた状態を示す正面図である。
【００１６】
まず、実施形態にかかる陳列器具１００の概要について、図に沿って説明する。陳列器具１００は、従来から存在するカプセル用自動販売機を利用して作製される。本実施形態にかかる陳列器具１００の外観は、カプセル用自動販売機と同一であり、図１と同様に現れる。そこで、まず、図１を利用して同様の符号を用いてカプセル用自動販売機１について説明する。なお、ここで使用された符号は、陳列器具においても同様の部品には同様の符号を使用して説明する。ここで説明するカプセル用自動販売機１はあくまで１例であり、現在市販され、又は将来市販されるカプセル用自動販売機を適宜利用することができ、本実施形態で説明するカプセル用自動販売機に限定するものではない。
【００１７】
実施形態にかかるカプセル用自動販売機１は、主として、上側に複数のカプセル（図示しない。）を収容するカプセル用収容領域αを有している。このカプセル用収容領域αは、収容ケース１０によって正面及び側面の一部が区画されている。収容ケース１０は、正面又は側方から内部に収容されたカプセルが視認できるように、少なくともフロントウィンドウ部１１及びサイド部１２が透明な素材、例えば、アクリル等のプラスチック又はガラスで作製される。収容ケース１０のフロントウィンドウ部１１は、上方に設けられた施錠装置２０によって開閉することができる。なお、フロントウィンドウ部１１は、上下中心が正面側へ膨らみ、上下端部が奥へ凹んでいる円柱側面の一部をなす曲面に形成されている。
【００１８】
収容ケース１０の下側には、カプセルを収容領域αから下方の取出口４０へ移動させる様々な機構や、投入される金銭を計算したり、貯めたりする機構等の種々の機能を有する構成部材が配置されている。また、正面には、金銭投入口３０、及びこの金銭投入口３０に金銭を挿入した後に、収容ケース１０内に収容された１又は２以上のカプセルを取出口４０に移動させる払出ハンドル５０等を有する。
【００１９】
払出ハンドル５０は、収容ケース１０の内側底面に配置されている回転ドラム６０（図３参照）と連動しており、払出ハンドル５０を回転させると回転ドラム６０が回転する。回転ドラム６０は、中心に突出部６１と突出部６１の周囲に形成された４つのポケット６２を有している。収容ケース１０内にカプセルを収容した状態で金銭投入口３０に金銭を投入することで、払出ハンドル５０が回転可能となる。払出ハンドル５０を回転させると回転ドラム６０（図３参照）が突出部６１を中心に回転し、回転ドラム６０のポケット６２に入っているカプセルのうちの１つが取出口４０に移動し、この取出口４０からカプセルを取得することができる。
【００２０】
以上のように構成されたカプセル用自動販売機１は、以下のように改良されて陳列器具１００とされる。まず、金銭投入口３０から投入される金銭の投入を検知して払出ハンドル５０の回転を制御している機構、例えばコインメックユニット（図示しない。）を取外すか、若しくは改良して金銭の投入の有無にかかわらず払出ハンドル５０を回転可能にする。金額表示は、誤って金銭を投入しないように削除しておくことが好ましい。この際に、誤って需要者が金銭口から金銭を投入することがないように、金銭口を塞いでおく。この金銭の投入がなくても回転可能となった払出ハンドル５０を以後ハンドル部５０という。これにより、ハンドル部５０は、金銭の投入の有無にかかわらず回転ドラム６０を回転させることができる。なお、一般的に回転ドラム６０は、逆回転しないように逆回転防止機構（図示しない。）が設けられているが、この逆回転防止機構を無効化させて両方向に回転可能に形成してもよい。
【００２１】
次に、回転ドラム６０に取付可能に形成された陳列台７０を準備する。陳列台７０は図４に示すように、底面７１が円形に形成されており、底面７１の周囲には上端が波線状に形成された壁面部７２が設けられている。また、底面７１の裏側には前述した突出部６１と嵌合する嵌合部７３が設けられている。底面７１が陳列物９を設置する陳列領域として機能し、壁面部７２は陳列物９が周囲に落下しないように落下防止部材として機能する。本実施形態においては、陳列台７０の嵌合部７３を前述した突出部６１に嵌め込むことで回転ドラムの上に陳列台７０を配置することができるが、陳列台７０を回転ドラム６０に取り付ける方法は特に限定するものではなく、既知の種々の方法を用いて取り付けることができる。こうしてカプセル用自動販売機１のカプセル用収容領域αを利用して陳列物９を載置できる陳列領域を形成することができる。なお、陳列台７０の壁面部７２の状態は波線状に形成しなければならないものではなく、直線でも良いし、他の模様状に形成してもよい。また、壁面部７２はなくてもよい。
【００２２】
次に、カプセル用収容領域αの上方側について説明する。カプセル用自動販売機１の上面内側には、図２に示すように、照明装置８０と吊下装置９０が設けられている。
【００２３】
照明装置８０は、カプセル収容領域αに陳列される陳列物９を明るく照らして視環境を向上する機能と、後述する吊下装置９０の軸部材９２を回転させるための動力を供給する機能を有する。照明装置８０としては、蛍光灯、ＬＥＤ照明等を使用することができる。照明装置８０の形態及び取付位置は特に限定するものではなく、カプセル用収容領域αの陳列物９を照らす機能と動力供給の機能を考慮して決定される。照明装置８０は、上面内側に任意の手段で取り付けられる。
【００２４】
吊下装置９０は、図５に示すように、主として、カプセル用自動販売機１の上面内側に取り付けられる取付部材９１と、この取付部材９１に取り付けられる軸部材９２とこの軸部材９２を回転可能に取り付ける回転部材９３と、この回転部材９３に設けられた吊下具９５とを備えている。
【００２５】
取付部材９１は、板部材で作製されている。板部材の形状は、円形であっても四角形であってもよい。取付部材９１の表面には、両面テープ９１ａが貼り付けられていて、この両面テープ９１ａによって、カプセル用自動販売機１の上面の内側に貼り付けられる。回転部材９３は、軸部材９２と、この軸部材９２を回転させるための動力を内部に収容する筐体９４と、この筐体９４の軸部材９２と反対側に設けられた板状部材９６とを備えている。筐体９４は、略四角錐台形に形成されており、４つの側面に太陽電池モジュール９７がそれぞれ設けられている。この太陽電池モジュール９７によって、前述した照明装置８０の光から動力を得て、軸部材９２を回転させることができる。板状部材９６の表面、すなわち、軸部材９２が取り付けられている面と反対の面には複数の吊下具９５が取り付けられている。吊下具９５は、下方に水平に延びた延出片９５ａが設けられている。この延出片９５ａに陳列物９に取り付けてある鎖や紐を引っ掛けることで、陳列物９が吊り下げられて展示される。この吊下具９５は陳列物を吊り下げることができれば、その形態は限定するものではない。例えば、より確実に固定できるように延出片９５ａの先端が凸状に形成して、容易に草地や紐が落ちないように形成してもよい。
【００２６】
さらに、カプセル用収容領域αの壁面のうち収容ケース以外の壁面には、図２に示すように、反射シート９９が配置されていてもよい。反射シート９９を配置することによって、カプセル用自動販売機１をそのまま流用した場合であっても、カプセル用自動販売機１００の壁面が視認されることがなく美観性に優れる。
【００２７】
こうしてカプセル用自動販売機１は、下方に回転可能な陳列台７０が形成され、上方に回転する吊り下げ型の吊下装置９０が形成された陳列器具１００が完成する。
【００２８】
以上のように作製された陳列器具１００は、図２に示すように、陳列台７０には陳列物９が載置されて展示される。この際に陳列物９は陳列台７０に両面テープや接着剤で固定するとよい。子供たちが勢い良く回した場合に陳列物９が倒れる可能性を低減できる。一方、吊下装置９０には、陳列物９に鎖や紐を取り付けて延出片９５ａに引っ掛けて吊り下げられるように展示される。
【００２９】
陳列物９が陳列された陳列器具１００は、図６に示すように、通常のカプセル用自動販売機１が複数配置されているカプセル用自動販売機１と交換して配置される。このように配置されることで、本実施形態にかかる陳列器具１００は、周囲のカプセル用自動販売機１と外観は全く同一の形態をなしているので、陳列器具１００が周囲と外観上の調和を乱すことなく、統一感をもたせた状態で配置することができる。また、取り付け方法、位置等の調整することなく、通常のカプセル用自動販売機１を取り付けるのと同様の方法で取り付けることができる。
【００３０】
こうして配置された陳列器具１００は、図２に示すように、カプセル用収容領域α内の陳列台７０に配置された陳列物９は、上方の照明装置８０によって照らされて明るくなる。一般的にカプセル用自動販売機１は、照明装置を有していないので、周囲のカプセル用自動販売機１と比較して内部が明るく見えるので、子供たち等の需要者の気を惹きやすく注目させることができる。また、ハンドル部５０を回すことで中の陳列台７０が回転し、陳列物９の位置を動かすことができるので陳列物９をあらゆる角度からすみずみまで確認することができる。子供達にとっては自ら陳列物９を動かすことができる遊戯具として楽しませることができる。この際に、子供たちが勢い良くハンドルを回した場合であっても、陳列台７０の周囲には壁面部７２が形成されているので、陳列物９が陳列台７０から落下する可能性が低減される。これにより、陳列台７０の下方で陳列物９が引っ掛かり回転を妨げられる可能性が低減される。
【００３１】
一方、吊下装置９０に吊り下げられた陳列物９は、照明装置８０が点灯していれば、太陽電池によって動力が発生して回転部材９３が回転する。こうして吊り下げられている陳列物９が回転する。一般的にカプセル用自動販売機１は、カプセル用収容領域内の物が自動で動く機構を有していないので、周囲に対して目立ちやすく、子供たち等の需要者の気を引きやすく、注目させやすい。また、回転しているので、商品をあらゆる角度からすみずみまで確認することができる。
【００３２】
このように本実施形態にかかる陳列器具１００は、子供達の興味を惹かせやすくなり、陳列器具１００で陳列している陳列物９が収容されているカプセル用自動販売機１で商品を購入させやすくなる。
【００３３】
なお、本発明は上述した実施形態に何ら限定されることはなく、本発明の技術的範囲に属する限り種々の態様で実施し得ることはいうまでもない。
【００３４】
上述した実施の形態では、カプセル用自動販売機１として、収容領域が収容ケース１０を用いて作製され、この収容ケース１０は、前面が開閉可能なフロントウィンドウ部１１で形成されるものとしたが、これに限定するものではなく、図７に示すように、一体型の収容容器１５を有するタイプのカプセル用自動販売機１を利用して作製してもよい。
【産業上の利用可能性】
【００３５】
上述した実施の形態で示すように、陳列器具として利用することができる。
【符号の説明】
【００３６】
１０…収容ケース、１１…フロントウィンドウ部、１２…サイド部、１５…収容容器、２０…施錠装置、３０…金銭投入口、４０…取出口、５０…払出ハンドル、６０…回転ドラム、６１…突出部、６２…ポケット、７０…陳列台、７１…底面、７２…壁面部、７３…嵌合部、８０…照明装置、９０…吊下装置、９１…取付部材、９１ａ…両面テープ、９２…軸部材、９３…回転部材、９４…筐体、９５…吊下具、９５ａ…延出片、９６…板状部材、９７…太陽電池モジュール、９９…反射シート、１００…陳列器具
【要約】      （修正有）【課題】カプセル用自動販売機の一部に商品又は景品サンプル等の陳列物が陳列することができるように、カプセル用自動販売機を利用して陳列物を陳列することができる陳列器具を提供する。【解決手段】カプセル用自動販売機を利用してカプセル用収容領域αに商品陳列手段を備えた陳列器具１００において、前記カプセル用収容領域α内の底面に配置された回転ドラムと、前記回転ドラムと連動しており、前記回転ドラムを回転操作可能なハンドル部５０と、景品又は商品等の陳列物を載置可能であって、かつ前記回転ドラムに取付可能な陳列台７０と、を備え、前記ハンドル部５０は、カプセル用自動販売機においてカプセルを排出する操作を行うための払出ハンドル５０である。【選択図】図２【図１】
0005562476.tif 000002
【図２】
0005562476.tif 000003
【図３】
0005562476.tif 000004
【図４】
0005562476.tif 000005
【図５】
0005562476.tif 000006
【図６】
0005562476.tif 000007
【図７】
0005562476.tif 000008